(57)【要約】      （修正有）【課題】止着具の取付け作業が面倒でなく、止着具を取付けたことがズボンの表側から分らず美観を損ねることがなく、止着具にごみが付着し難く、折返したズボンの先端部の生地が垂れ下がらず、ズボンを着用している着用者が違和感を感じず、また、他人にだらしないズボンの履き方をしているとの印象を与えることがない、ズボンの裾長さの調節が簡単に行えるズボンを提供する。【解決手段】雄スナップ２３が裾テープ２２の長さ方向に間隔を開けて多数個設けられ、裾テープがズボンの脚部内側の裾折返し部２７にズボンの脚部３ａ等の周方向に縫着され、裾折返し部と股下部との間のズボンの脚部内側に別布３６が縫着され、雌スナップ３３が多数個設けられた複数本の別布側テープが別布のズボンの脚部内側にズボンの長さ方向に間隔を開けて多段に縫着されている。【選択図】図２
0003167386.tif 000002
【実用新案登録請求の範囲】
【請求項１】
ズボンの脚部内側の裾折返し部に一方のスナップが設けられ、該一方のスナップと係合する他方のスナップがズボンの脚部内側の前記裾折返し部と股下部との間に該ズボンの長さ方向に間隔を開けて多段に設けられたズボンにおいて、
前記一方のスナップがテープの長さ方向に間隔を開けて多数個設けられており、該テープがズボンの脚部内側の裾折返し部にズボンの脚部の周方向に縫着されており、
前記裾折返し部と股下部との間のズボンの脚部内側に別布が縫着されており、
前記他方のスナップが多数個設けられた複数本のテープが前記別布のズボンの脚部内側にズボンの長さ方向に間隔を開けて多段に縫着されていることを特徴とするズボン。
【請求項２】
前記裾折返し部に縫着されたテープには少なくとも４個以上のスナップが取付けられており、前記別布に縫着された各テープにも４個以上のスナップが取付けられていることを特徴とする請求項１に記載のズボン。
【請求項３】
前記別布が、その周方向の両端部が縫着されて円筒形状をしていることを特徴とする請求項１または２に記載のズボン。
【請求項４】
前記別布は、その上端がズボンの脚部に縫着されており、その下端はズボンの脚部に縫着されていないことを特徴とする請求項３に記載のズボン。
【考案の詳細な説明】
【技術分野】
【０００１】  本考案はズボンに関し、より詳しくは、ズボンの股下寸法、すなわち、ズボンの丈をが簡単に調節可能なズボンに関する。
【背景技術】
【０００２】  従来からズボンの股下寸法を所望の長さに調節する方法として、ズボン生地の裾を折り返し、ズボンの脚部下端部にかがり縫いして縫付けることが行われている。【０００３】  別の簡便な方法として、両面に熱接着剤を付着させた裾上げテープをズボン生地の裾部先端部とズボンの脚部下端部との間で挟み、アイロンで加熱して裾上げテープの両面熱接着剤により裾部先端部と脚部下端部とを接着させて所望の股下寸法とすることが行われている。【０００４】  しかしながら、上述のかがり縫いしたり裾上げテープを用いる方法では、ズボンの裾部を縫付けたり接着して一旦所望の股下寸法とすると、異なる股下寸法への変更が容易に行えない。特に、ユニフォームのように、略同一の寸法に作る場合は、股下寸法が着用者に合わないことがある。【０００５】  この対策として、ズボンの裾を表側に巻き上げて調整することが行われている。しかしながら、このようにして調整した場合には、巻き上げた部分が表側に出るため美観が損なわれ、また、表側に出た部分がズボン本体から飛び出してしまうために、着用者の歩行時に物に引っかかり易くなってしまうという不都合がある。【０００６】  特許文献１（実用新案登録第３０５４３０３号公報）には、ズボンの脚被着部の内面下端部に、所謂マジックファスナー（登録商標）からなる一対の面止着具の一方を周方向に間隔を置いて４個縫い付けると共に、面止着具の他方をそれぞれ各面止着具が取り付けられた位置からズボンの股方向に所定の間隔を置いて５段取り付ける。被着者の足の長さに応じて、脚被着部の下端部を内側に折り曲げて、その内側に取り付けられている各面止着具の一方を面止着具の他方に、押付けて止着することにより、ズボンの裾の長さを調整することが提案されている。【０００７】  特許文献１では多数の面止着具（所謂マジックファスナー（登録商標））をズボン生地に縫付けて取付けるため面止着具の取付け作業が面倒であり、また、各面止着具を縫付けた箇所がズボンの表側から分るため美観が損なわれるという問題がある。さらに、所謂マジックファスナー（登録商標）からなる面止着具を用いているためごみが付着し易いという問題もある。【０００８】  この対策として、特許文献２（特開２００６−２９１３８４号公報）には、ズボンの先端部の脇縫い部の縫い代および内股縫い部の縫い代にスナップの一方が固定され、ズボンの股下部の裏側の脇縫い部の縫い代および内股縫い部の縫い代にスナップの他方が裾丈方向に適宜間隔で連設され、スナップを選択して連結することにより股下寸法を調整可能に構成することが提案されている。【０００９】  特許文献２では、ズボンの脇縫い部の縫い代および内股縫い部の縫い代にのみスナップが設けられており、脇縫い部の縫い代と内股縫い部の縫い代との間にはスナップかない。このため、この間に位置しているズボンの先端部の生地が垂れ下がり、ズボンを着用している着用者は違和感を感じ、垂れ下がったズボンの先端部を踏んでしまったり、また、他人に見えるとだらしないズボンの履き方の印象を与えるという問題がある。
【先行技術文献】
【特許文献】
【００１０】
【特許文献１】実用新案登録第３０５４３０３号公報
【特許文献２】特開２００６−２９１３８４号公報
【考案の概要】
【考案が解決しようとする課題】
【００１１】  本考案は、上述したような従来技術に付随する種々の問題を解決した、ズボンの裾長さの調節が簡単に行えるズボンを提供することを目的とする。【００１２】  すなわち、本考案により、止着具の取付け作業が面倒でなく、また、止着具を取付けたことがズボンの表側から分らず、美観を損ねることがなく、さらに、止着具にごみが付着し難い、ズボンの裾長さの調節が簡単に行えるズボンが提供される。【００１３】  また、本考案によれば、折返したズボンの先端部の生地が垂れ下がることがなく、ズボンを着用している着用者が違和感を感じず、また、他人にだらしないズボンの履き方をしているとの印象を与えることがない、ズボンの裾長さの調節が簡単に行えるズボンが提供される。
【課題を解決するための手段】
【００１４】  本考案においては、上記の目的を、ズボンの脚部内側の裾折返し部に一方のスナップが設けられ、該一方のスナップと係合する他方のスナップがズボンの脚部内側の前記裾折返し部と股下部との間に該ズボンの長さ方向に間隔を開けて多段に設けられたズボンにおいて、
前記一方のスナップがテープの長さ方向に間隔を開けて多数個設けられており、該テープがズボンの脚部内側の裾折返し部にズボンの脚部の周方向に縫着されており、
前記裾折返し部と股下部との間のズボンの脚部内側に別布が縫着されており、
前記他方のスナップが多数個設けられた複数本のテープが前記別布のズボンの脚部内側にズボンの長さ方向に間隔を開けて多段に縫着されていることを特徴とするズボンにより達成する。【００１５】  本考案においては、裾折返し部に縫着されるテープ（以下「裾テープ」と称す）に設ける一方のスナップを雄スナップとするとともに別布に縫着されるテープ（以下「別布側テープ」と称す）に設ける他方のスナップを雌スナップとしてもよいし、逆に、裾テープに設ける一方のスナップを雌スナップとするとともに別布側テープに設ける他方のスナップを雄スナップとしてもよい。【００１６】  本考案においては、裾テープおよび別布側テープに一方のスナップおよび他方のスナップをそれぞれ少なくとも４個設けることにより、折返したズボンの先端部の生地が垂れ下がることを確実になくせて、好ましい。【００１７】  また、本考案においては、別布が、その周方向の両端部が縫着されて円筒形状をしていることが好ましい。
【考案の効果】
【００１８】  本考案によれば、ズボンの脚部内側の裾折返し部に設けた一方のスナップと、ズボンの長さ方向に間隔を開けて多段に設けた他方のスナップとの係合組合せを選択して、ズボンの股下寸法、すなわち、ズボンの裾長さを簡単に調節し、また、変更することができる。【００１９】  本考案によれば、一方のスナップが裾テープの長さ方向に間隔を開けて多数個設けられるとともに、一方のスナップと係合する多数個の他方のスナップが別布側テープの長さ方向に間隔を開けて別布側テープに設けられているので、一方のスナップおよび他方のスナップを個々に取付けなくとも、裾テープおよび別布側テープを縫着することによりスナップを取付けることができ、取付け作業が簡単に行える。【００２０】  また、本考案によれば、スナップを裾折返し部および別布に取付けたことにより、スナップを取付けことがズボンの表側から分らず美観を損ねることがない。また、別布が、その周方向の両端部が縫着されて円筒形状をしていると着用者がズボンの脚部に足を挿入し易く、また、縫着するための１本の縫い目がズボンの脚部を一周しているので美観が損なわれない。【００２１】  本考案のズボンによれば、スナップ付きテープを平らな状態の別布に縫着し、その後、別布の両端を縫合わせて円筒状として、ズボン本体に別布を縫着することができるので、縫製手順が簡単である。【００２２】  また、本考案においては、別布の下端をズボン本体に縫付けないフラシ状態としているので、ズボンの丈調節のために裾先端部を折返して上方の別布側テープに取付けたスナップと裾テープに取付けた裾スナップとを係合させる場合も、綺麗に折返すことができる。【００２３】  さらに、本考案においては、止着具としてスナップを用いているので、ごみが付着し難い。【００２４】  本考案によれば、一方のスナップが裾テープの長さ方向に間隔を開けて多数個（好ましくは少なくとも４個）設けられるとともに、一方のスナップと係合する他方のスナップが別布側テープの長さ方向に間隔を開けて多数個別布側テープに設けられているので、折返したズボンの先端部の生地が垂れ下がることがなく、ズボンを着用している着用者が違和感を感じず、また、他人にだらしないズボンの履き方をしているとの印象を与えることがない。
【図面の簡単な説明】
【００２５】
【図１】本考案に係るズボンの一実施例を示し、（ａ）は正面図、（ｂ）は背面図である。
【図２】（ａ）は図１に示した本考案に係るズボンの実施例において、左脚部のズボン本体を裏返し、前中心の折山線および後中心の折山線で２つ折りした状態を示し、（ｂ）は（ａ）の左端部で切断した状態の断面図である（なお、図中において布地は厚みを省略して線で表している）。
【考案を実施するための形態】
【実施例】
【００２６】  以下、添付図面を参照して本考案の実施例を詳細に説明する。図１は本考案に係るズボンの一実施例を示し、（ａ）は正面図、（ｂ）は背面図である。【００２７】  図１において、本考案のズボン本体１は、通常のズボンと同様に、ウエスト部２、左脚部３ａおよび右脚部３ｂからなる。なお、図１において、通常のズボンと同様に、１１はバンド通し、１２はポケットを示す。【００２８】  左右脚部３ａ、３ｂは、通常のズボンと同様に、左右前身頃４ａ、４ｂと左右後身頃５ａ、５ｂとが、それぞれ脇縫目７および内股縫目８により縫合わされて、筒状となっている。【００２９】  図１（ａ）、（ｂ）において、裾先端部２６に平行に裾縫目２４が見え、その股下部側上方に別布取付縫目３１が見える。【００３０】  図２（ａ）は図１に示した本考案に係るズボンの実施例において、左脚部３ａのズボン本体を裏返し、前中心の折山線９および後中心の折山線１０で２つ折りした状態を示し、（ｂ）は（ａ）の左端部で切断した状態の断面図である（なお、図中において布地は厚みを省略して線で表している）。【００３１】  図２（ａ）に示すように、雄スナップ２３が裾テープ２２の長さ方向に間隔を開けて多数個設けられている。スナップ付きテープは「テーピースナッパー」の商品名で市販されているものもある。なお、雄スナップ２３は長さ方向に等間隔に設けてもよいが、必ずしも等間隔でなくてもよい。【００３２】  図２（ｂ）に示すように、ズボンの裾先端部２６をズボンの脚部３ａの内側へ折返しており、折返し部２７の上側を裾縫目２４によりズボン本体１に縫着している。脚部３ａの内側へ折返されたズボンの裾先端部２６の折返し部２７に、多数個の雄スナップ２３が設けられた裾テープ２２が上下２本の縫目２５により縫着されている。この際、裾テープ２２はズボンの脚部３ａの裏側の略全周に延在するような長さとしている。【００３３】  また、図２（ａ）に示すように、雌スナップ３３を別布側テープ３２に多数個設け、このような別布側テープ３２を複数本（本実施例においては２本）準備する。なお、雌スナップ３３は前述した雄スナップ２３と係合するものであり、別布側テープ３２上の雌スナップ３３の位置が裾テープ２２上の雄スナップ２３と対応している限り、雌スナップ２３は長さ方向に等間隔に設けてもよいが、必ずしも等間隔でなくてもよい。【００３４】  上述のようにそれぞれ雌スナップ２３が設けられた複数本の別布側テープ３２を、別布３６の上下方向に間隔を開けて多段に置き、各別布側テープ３２の上下を縫目３５により別布３６に縫着している。【００３５】  別布３６は、その周方向の両端部は互いに縫着されて（縫着箇所３７）、円筒形状をしており、図２（ｂ）に示すように、円筒形状をした別布３６の上部を別布取付縫目３１によりズボン本体１に縫着している。これにより、別布３６はズボンの脚部３ａの内側において裾先端部２６と股下部との間に位置する。なお、別布３６の下端部は、図２（ｂ）に示すように、端が折返されて端縫目３４によりほつれ止めされているが、ズボン本体１には縫付けられずに所謂フラシ状態としている。【００３６】  上記の構成とした本考案によれば、ズボンの脚部３ａの内側の裾先端部��６に設けた雄スナップ２３と、ズボンの長さ方向に間隔を開けて多段に設けた雌スナップ３３との係合組合せを選択して、ズボンの股下寸法、すなわち、ズボンの裾長さを簡単に調節し、また、変更することができる。【００３７】  また、本考案によれば、雄スナップ２３が裾テープ２２の長さ方向に間隔を開けて多数個設けられるとともに、雄スナップ２３と係合する多数個の雌スナップ３３が別布側テープ３２の長さ方向に間隔を開けて別布側テープ３２に設けられているので、雄スナップ２３および雌スナップ３３を個々に取付けなくとも、裾テープ２２および別布側テープ３２を縫着することにより雌雄スナップ２３、３３を取付けることができ、取付け作業が簡単に行える。特に、別布３６を円筒状とする前の平らな状態で、別布側テープ３２を別布３６に縫着すると、別布側テープ３２の別布３６への縫着が行い易い。また、雌雄スナップ２３、３３を取付けたことがズボン１の表側から分り難く美観を損ねることがなく、さらに、雌雄スナップ２３、３３にごみが付着し難い。【００３８】  本考案によれば、雄スナップ２３が裾テープ２２の長さ方向に間隔を開けて多数個（好ましくは少なくとも４個）設けられるとともに、雄スナップ２３と係合する雌スナップ３３が別布側テープ３２の長さ方向に間隔を開けて多数個別布側テープ３２に設けられているので、折返したズボン１の先端部２６の生地が垂れ下がることがなく、ズボンを着用している着用者が違和感を感じず、また、他人にだらしないズボンの履き方をしているとの印象を与えることがない。【００３９】  さらに、上記説明では雄スナップ２３を裾テープ２２に設け、雌スナップ３３を別布側テープ３２に設けていたが、逆に、雌スナップを裾テープ２２に設け、雄スナップを別布側テープ３２に設けてもよい。
【符号の説明】
【００４０】１  ズボン本体
２  ウエスト部
３ａ  左脚部
３ｂ  右脚部
４ａ  左前身頃
４ｂ  右前身頃
５ａ  左後身頃
５ｂ  右後身頃
７  脇縫目
８  内股縫目
９  折山線
１０  折山線
１１  バンド通し
１２  ポケット
２１  裾縫目
２２  裾テープ
２３  雄スナップ
２４  裾縫目
２５  縫目
２６  裾先端部
２７  裾折返し部
３１  別布取付縫目
３２  別布側テープ
３３  雌スナップ
３４  端縫目
３５  縫目
３６  別布
３７  縫着箇所
【図１】
0003167386.tif 000003
【図２】
0003167386.tif 000004